(57)【特許請求の範囲】
【請求項１】
選択した信号処理操作の効果をデモンストレーションする装置であって、
到来信号を処理し、処理された信号をプレゼンテーション手段に供給する信号処理装置と、
ユーザコマンドに応じて、前記信号処理装置を制御して選択された信号処理操作を実行するデモンストレーション手段とを具えるデモンストレーション装置において、
前記デモンストレーション手段が、個々の処理操作をデモンストレーションするために選択したデモンストレーション信号を記憶する記憶手段と、
前記ユーザコマンドに応じて前記記憶されたデモンストレーション信号を信号処理装置に入力させる入力手段とを具え、
前記デモンストレーション手段が、デモンストレーション信号のプレゼンテーション中に、前記処理操作を交互に起動及び起動停止を行うことを特徴とするデモンストレーション装置。
【請求項２】
前記入力手段が、ユーザコマンドに応じて、到来信号又はデモンストレーション信号のいずれかを前記信号処理装置に供給するスイッチング手段を具えることを特徴とする請求項１に記載の装置。
【請求項３】
前記到来信号をビデオ信号とし、前記プレゼンテーション手段が表示スクリーンを具える請求項１又は２に記載の装置において、前記記憶手段が静止画像を含むように構成されていることを特徴とする装置。
【請求項４】
前記記憶手段が別の画像を含むように構成され、前記デモンストレーション手段が、前記画像及び別の画像を移動ビデオプレゼンテーションとして連続的に提示するように構成されていることを特徴とする請求項３に記載の装置。
【請求項５】
前記デモンストレーション手段が、移動ビデオプレゼンテーションを自動的に繰り返すように構成されていることを特徴とする請求項４に記載の装置。
【請求項６】
前記デモンストレーション手段が、デモンストレーション信号をスプリットスクリーンの形態で提示するように構成され、表示スクリーンの一部部分が起動された処理操作を有するデモンストレーション信号のプレゼンテーションを示し、表示スクリーンの別の部分が起動停止された処理操作を有するデモンストレーション信号のプレゼンテーションを示すことを特徴とする請求項３から５までのいずれか１項に記載の装置。
【請求項７】
請求項１から６までのいずれか１項に記載のデモンストレーション装置を具えるオーディオ又はビデオ信号を処理する装置。
【請求項８】
当該信号処理装置の機能を制御する複数のユーザ操作可能な制御手段を具える請求項７に記載の信号処理装置において、前記ユーザコマンドが、前記制御手段の単一の操作又は予め定めた時間期間にわたる制御手段の組合せの操作を含むことを特徴とする装置。
【請求項９】
請求項７又は８に記載の信号処理装置の機能を有するテレビジョン受信機。
【請求項１０】
到来信号を処理し、処理された信号をプレゼンテーション手段に供給する工程と、
ユーザコマンドに応じて実行すべき前記選択された信号処理操作を制御する工程とを具え、選択された信号処理操作の効果をデモンストレーションするデモンストレーション方法において、
前記選択された処理操作のデモンストレーションを行うように選択されたデモンストレーション信号を記憶手段から読み出す工程と、
前記ユーザコマンドに応じて記憶されたデモンストレーション信号を処理する工程とを具え、
デモンストレーション信号のプレゼンテーション中に、前記処理操作を交互に起動及び起動停止を行うことを特徴とするデモンストレーション方法。
【発明の詳細な説明】
【０００１】
発明の分野
本発明は、請求項１の前段部において規定された選択した信号処理操作の効果をデモンストレーションする装置に関するものである。さらに、本発明は、請求項７の前段部において規定された装置、請求項９の前段部において規定されたテレビジョン受信機、並びに請求項１０の前段部において規定された選択した信号処理操作の効果をデモンストレーションする方法に関するものである。
【０００２】
発明の背景
上述した装置は欧州特許出願０４１７７２８Ａ２に開示されている。例えばテレビジョン受信機又はビデオレコーダのような既知の装置は、この装置の多数の機能を連続的に実行させる一連のコマンドを発生するユーザ操作可能な制御回路を具えている。この制御回路により実行される機能の例として、ピクチャーインーピクチャ、ズーム効果、モザイクスクリーン、並びにノイズフィルタ、クロスかつ及び干渉の低減のような画像品質を増強する機能がある。制御回路により実行される機能の効果はテレビジョンスクリーン上で見ることができ、当該装置を購入しようとする者にその機能の印象を与える。
【０００３】
この既知の装置の欠点は、その機能の有効性がデモンストレーションの時間に受信されたビデオ内容に強く依存することである。
【０００４】
発明の目的及び概要
本発明の目的は、信号処理操作のデモンストレーションが一層改善された選択された信号処理操作の効果をデモンストレーションする装置を提供することにある。この目的を達成するため、本発明の第１の概念は請求項１に記載の装置を提供する。本発明の第２の概念は、請求項７に記載の装置を提供する。本発明の第３の概念は、請求項９に記載のテレビジョン受信機を提供する。本発明の第４の概念は、請求項１０に記載の方法を提供する。本発明の有益な実施例は従属請求項に記載する。
【０００５】
請求項１に記載の選択された信号処理操作の効果をデモンストレーションする装置は、到来信号を処理して処理された信号を得る信号処理装置と、既知の装置と同様であり、信号処理装置の効果をデモンストレーションするデモンストレーション手段とを具える。ユーザコマンドは、処理装置によりどの信号処理操作が実行されるかを選択する。一例として、処理装置は到来ビデオ信号を処理して表示装置に供給されるべきＲＧＢ信号を得るビデオ信号プロセッサとすることができる。ユーザコマンドはブラック−ストレッチ機能又は低減操作を切り換えることができる。デモンストレーションされる処理操作に応じて、当該処理操作の効果をデモンストレーションするのに最も好適なデモンストレーション内容の特定の部分は、プレゼンテーション手段上に提示される前に記憶手段から復帰した処理装置により処理される。また、デモンストレーション手段が、デモンストレーション信号のプレゼンテーション中に、処理操作を交互に起動及び起動停止を行う。このようにして、処理操作の効果が一層有効にデモンストレーションされ、当該装置の優秀性を確認しようとする者の便宜が図られる。
【０００６】
請求項２に記載の本発明の実施例において、スイッチング手段は、ユーザコマンドに応じて信号処理装置により処理されてプレゼンテーション手段に提示されるデモンストレーション信号又は到来信号を選択する。従って、到来信号により発生しデモンストレーションの有効性を半減させるいかなる条件も排除される。
【０００７】
請求項３に記載した本発明の実施例においては、信号処理装置は表示スクリーン上に提示されるビデオ信号を処理するように構成され、この処理操作として例えば表示される画像の品質を増強することが挙げられる。このような機能をデモンストレーションするため、その機能の効果をデモンストレーションするのに好適な静止画像が記憶手段から復帰され表示スクリーン上に表示される。例えば、ブラック−ストレッチ機能をデモンストレーションする場合、グレイ領域を含む画像が提示され、くし形フィルタをデモンストレーションする場合微細な黒及び白のラインのパターンを含む画像が提示される。例えばナチュナルモーションのような移動画像を含むプレゼンテーションを改善するように意図した機能をデモンストレーションする場合、一連の画像を記憶手段に記憶し移動ビデオプレゼンテーションとして連続的に提示することができる。このようなビデオプレゼンテーションは多数回繰り返して視聴者に対して当該機能の効果を評価する多くの機会を与えることができる。
【０００８】
本発明の他の実施例においては、デモンストレーションされた機能を有する装置と当該機能を有していない装置との間の差異を容易に把握できることが達成される。ビデオ内容の場合、この差異はデモンストレーション信号をスプリット形態で提示することによりデモンストレーションすることができ、これにより視聴者は一瞥するだけでその差異を把握することができる。視聴者は、デモンストレーション中に手動により機能を起動させ及び起動を停止することができる。
【０００９】
請求項８に記載の本発明の実施例においては、デモンストレーション機能とは相違する装置の機能を制御するためだけの制御手段の操作を含む。ＶＣＲ及びＴＶのような現在の製品は多くの機能を制御するリモートコントローラを有している。これらの製品自体チャネル選択及びボリューム制御のような主要な機能を制御する数個のボタンしか有していない。デモンストレーションを起動させる専用のボタンは望ましくないものである。この理由は、製品の価格が高くなること及びデモンストレーション機能は店頭での販売人だけに知られているようにする必要があるたらである。この実施例は、製品の通常の制御ボタンの特定の組合せによりデモンストレーション機能を利用することができ、例えばボリュームアップボタン及びボリュームダウンボタンの両方を同時に例えば５秒間のような予め定めた時間期間にわたって押すことによりデモンストレーション機能を利用することができる。このようにして、製品を買うことに興味のない人間がデモンストレーションを開始することが防止される。
【００１０】
本発明はテレビジョン受信機に特に好適であり、この場合プレゼンテーション手段はテレビジョンスクリーン又はラウドスピーカとすることができ、或いはビデオレコーダやＤＶＤプレイヤのようなビデオ出力信号を有する他のいかなる装置にも好適であり、この場合プレゼンテーション手段は組み込みディスプレイ又は接続されているテレビジョン受信機のスクリーンとする。さらに、本発明はプレゼンテーション手段がラウドスピーカであるオーディオ装置にも適用することができる。
【００１１】
【実施例の説明】
図面はアンテナ又はケーブルネットワークを介して得られるＴＶ信号を受信するテレビジョン受信機を示す。チューナ２は受信した信号から１つの信号を選択しその信号を復調する。選択した信号のオーディオ及びビデオ情報は、オーディオプロセッサ４及びビデオプロセッサ８を具える信号プロセッサ３においてさらに処理する。オーディオ情報はオーディオプロセッサにより処理されラウドスピーカ５により表示される。ビデオ情報はビデオプロセッサ８により処理され表示スクリーン９上に表示される。コントロールユニット６により、ユーザはマイクロプロセッサ７により処理されるコマンドを入力することができる。例えば、マイクロプロセッサ７は、ＴＶ信号を選択するコマンドをチューナに送出し、サウンドパラメータ及び画像パラメータを制御するコマンドを信号プロセッサ３に送出する。
【００１２】
さらに、マイクロプロセッサ７は、オーディオ及びビデオ情報を信号プロセッサ３に送出し信号スイッチ１２を制御するように構成され、信号スイッチ１２はチューナ２からの信号を信号プロセッサ３に対する入力信号として初めに選択する。メモリ１０を設けてテレビジョン受信機の種々の機能を実行するマイクロプロセッサの指示を記憶する。このようにして実行される機能の１つはデモンストレーション機能であり、メモリ１０、マイクロプロセッサ７及び信号スイッチ１２はデモンストレーション手段を構成する。コントロールユニット６は、リモートコントローラからの赤外線信号を受信するリモートコントロールユニット（図示せず）及びテレビジョン受信機の主要な機能を制御する数個のボタンを具える。コントロールユニット６は、特にユーザが音量を高くし及び低くすることができるボリュームアップボタン６ａ及びボリュームダウンボタン６ｂを具える。ユーザがボリュームアップボタン６ａ及びボリュームダウンボタン６ｂの両方を同時に５秒間押すと、デモンストレーション機能が起動する。初めに、表示スクリーン９上にメニューが表示され、実行することができる多数の機能が表示され、出口ボタンが表示されデモンストレーション機能が表示される。ユーザが１つの機能を選択すると、選択された機能をデモンストレーションするのに最も好適な画像情報がメモリ１１から読み出され、その画像情報が信号プロセッサ３に対する入力信号として選択されるように信号スイッチ１２が制御する。例えば、ブラック−ストレッチ機能がデモンストレーションされると、グレイの領域を含む画像が表示される。例えば自然な動きのような移動画像を含むプレゼンテーションを改善するように構成された機能が選択されると、メモリ１１から一連の画像が読み出され、移動ビデオプレゼンテーションとして連続的に表示される。移動ビデオプレゼンテーションは数回繰り返され、その機能の効果を評価する複数の機会を視聴者に与える。一例として、デモンストレーションは選択された機能と共にスタートし停止する。２秒後に選択された機能が起動し、別の２秒後にその選択された機能が再び停止する。このプロセスは予め定めた回数だけ繰り返され、その後デモンストレーションは停止する。例えば表示されたテキスト又は話されたテキストのような別の信号を用いてどの機能が選択されたか並びに特別な瞬時に選択された機能が起動したか又は停止したかを指示することができる。
【００１３】
ボリュームアップボタン６ａ又はボリュームダウンボタン６ｂのいずれかを押すことによりデモンストレーションは停止し、マイクロプロセッサ７は、チューナ２からの信号を信号プロセッサ３に対する入力信号として選択するように信号スイッチ１２を制御する。
【００１４】
本発明は特有の図示した実施例に基づいて説明したが、本発明の概念の範囲内において種々の変更や変形が可能である。例えば、本発明にある方法で接続された個別のデバイスに含まれる記憶手段を適用することができる。容易に表示されるデモンストレーション内容の代りに、記憶手段は、デモンストレーションされる機能の効果を示すのに特に好適な例えば図形画像を発生させるアルゴリズムのような符号化された形式又は圧縮された形式で内容を含むことができる。メモリ１１は、フロッピーディスク又はハードディスクのような記憶デバイスとすることができ、メモリ１０と組み合わせることができる。ユーザコマンドは、本装置のボタンによる操作を必ずしも必要とせず、リモートコントローラの１個又はそれ以上のボタンにより或いはジョイスティク又はマウスにより入力することができる。
【００１５】
ＴＶのビデオ処理に基づいて実施例を説明したが、本発明はオーディオ処理についても好適であり、ＶＣＲやコンプュータモニタ等のような情報を提示する必要のある他の装置における信号処理についても好適である。
【００１６】
要約すると、本発明は選択された信号処理操作の効果をデモンストレーションする装置に関するものである。この装置は、到来信号を処理してこの信号をプレゼンテーション手段（９）に供給する信号処理手段（３）と、選択した処理動作をデモンストレーションするデモンストレーション手段（７，１０，１２）とを具える。この装置は、機能を有効にデモンストレーションするのに好適なデモンストレーション信号を記憶する記憶手段（１１）をさらに具える。デモンストレーション手段を起動するに当たり、上述した処理操作をデモンストレーションするのに最も好適なデモンストレーション信号を記憶手段から読み出し、信号処理手段で処理し、プレゼンテーション手段上に提示する。
【図面の簡単な説明】
【図１】  本発明による装置の実施例としてテレビジョン受信機を示す。
【図１】
0004503839.tif 000002